(57)【要約】      （修正有）【課題】貯蔵室の間口の発露を防止して清潔に保つことのできる冷蔵庫を提供する。【解決手段】貯蔵室の間口の温度を検知する温度センサ１４と、外気の湿度を検知する湿度センサ１５と、冷凍サイクルを運転する圧縮機３１と、冷凍サイクルの高温部に配される放熱器３３と、放熱器３３の後段に配される膨張器３４と、放熱器３３と膨張器３４との間に設けられるとともに貯蔵室の間口に配される発露防止部１２と、発露防止部１２と並列に配されるバイパス通路１３とを備え、温度センサ１４及び湿度センサ１５の検知結果に基づいて冷媒を発露防止部１２とバイパス通路１３とに切り替えて流通させる冷蔵庫において、湿度センサ１４が正常に動作していないとした際に冷媒を発露防止部１２のみに流通させる常時防露運転を行う。【選択図】図３
2013238378.tif 000002
【特許請求の範囲】
【請求項１】
貯蔵室の間口の温度を検知する温度センサと、外気の湿度を検知する湿度センサと、冷凍サイクルを運転する圧縮機と、前記冷凍サイクルの高温部に配される放熱器と、前記放熱器の後段に配される膨張器と、前記放熱器と前記膨張器との間に設けられるとともに前記貯蔵室の間口に配される発露防止部と、前記発露防止部と並列に配されるバイパス通路とを備え、
前記温度センサ及び前記湿度センサの検知結果に基づいて冷媒を前記発露防止部と前記バイパス通路とに切り替えて流通させる冷蔵庫において、
前記湿度センサが正常に動作してないとした際に冷媒を前記発露防止部のみに流通させる常時防露運転を行うことを特徴とする冷蔵庫。
【請求項２】
前記温度センサ及び前記湿度センサの検知結果を記憶する記憶部を備え、
前記湿度センサが正常に動作してないとした際に、前記記憶部に記憶されたデータ及び前記温度センサの検知結果から導出した湿度と、前記温度センサの検知温度と、に基づいて冷媒を前記発露防止部と前記バイパス通路とに切り替えて流通させる代替データ切替期間を前記常時防露運転中に所定の周期で設けたことを特徴とする請求項１に記載の冷蔵庫
【請求項３】
貯蔵室の間口の温度を検知する温度センサと、外気の湿度を検知する湿度センサと、前記温度センサ及び前記湿度センサの検知結果を記憶する記憶部と、冷凍サイクルを運転する圧縮機と、前記冷凍サイクルの高温部に配される放熱器と、前記放熱器の後段に配される膨張器と、前記放熱器と前記膨張器との間に設けられるとともに前記貯蔵室の間口に配される発露防止部と、前記発露防止部と並列に配されるバイパス通路とを備え、
前記温度センサ及び前記湿度センサの検知結果に基づいて冷媒を前記発露防止部と前記バイパス通路とに切り替えて流通させる冷蔵庫において、
前記湿度センサが正常に動作していないとした際に、前記記憶部に記憶されたデータ及び前記温度センサの検知結果から導出した湿度と、前記温度センサの検知温度と、に基づいて冷媒を前記発露防止部と前記バイパス通路とに切り替えて流通させることを特徴とする冷蔵庫。
【請求項４】
前記湿度センサが正常に動作していない場合に報知する報知部を設けたことを特徴とする請求項１〜３のいずれかに記載の冷蔵庫。
【請求項５】
前記圧縮機を配置する機械室内に前記バイパス通路を配置し、前記バイパス通路は冷媒が流通する冷媒管上に放熱フィンを固着して形成されることを特徴とする請求項１〜４のいずれかに記載の冷蔵庫
【発明の詳細な説明】
【技術分野】
【０００１】
本発明は湿度センサを備えた冷蔵庫に関する。
【背景技術】
【０００２】
従来の冷蔵庫は特許文献１に開示される。この冷蔵庫は複数の貯蔵室を形成する断熱箱体を備え、各貯蔵室の前面が断熱扉により開閉される。断熱箱体の下部後方には機械室が設けられ、機械室内には冷凍サイクルを運転する圧縮機が配される。
【０００３】
圧縮機は冷媒管を介して放熱器、膨張器、冷却器の順に接続され、圧縮機に戻る。また、放熱器と膨張器との間には冷媒管により形成される発露防止部とバイパス通路とが並列に設けられる。発露防止部は貯蔵室の間口に配される。発露防止部及びバイパス通路の上流には冷媒の流通経路を切り替える冷媒バルブが設けられる。
【０００４】
また、冷蔵庫には貯蔵室の間口の温度を検知する温度センサ及び外気の湿度を検知する湿度センサが設けられる。
【０００５】
上記構成の冷蔵庫において、圧縮機の駆動によって冷凍サイクルが運転され、冷媒管を冷媒が流通する。冷凍サイクルの低温部に配される冷却器と熱交換して生成された冷気によって貯蔵室が冷却される。冷凍サイクルの高温部に配される放熱器及びバイパス通路は外気と熱交換して放熱する。
【０００６】
また、温度センサ及び湿度センサの検知結果により導出した露点温度よりも貯蔵室の間口の温度が低温になると、冷媒バルブの切り替えによって発露防止部に冷媒が流通する。これにより、冷凍サイクルの高温部に配される発露防止部により貯蔵室の間口の発露が防止される。
【０００７】
また、露点温度よりも貯蔵室の間口の温度が高温になるとバイパス通路に冷媒が流通し、貯蔵室近傍の昇温による冷却効率の低下を防止することができる。
【先行技術文献】
【特許文献】
【０００８】
【特許文献１】特開２００９−２６４６２９号公報
【発明の概要】
【発明が解決しようとする課題】
【０００９】
一般的に冷蔵庫は台所や厨房で使用され、冷蔵庫周辺の外気には水分や油分が多く含まれる。しかしながら、高分子電気抵抗等の電気式の湿度センサは水分や油分に弱いため、正常に動作しないようになり易い。
【００１０】
このため、上記従来の冷蔵庫によると、湿度センサが従来の出力信号とは異なる異常信号を出力するような正常に動作してない場合には貯蔵室の間口が発露する可能性がある。このため、発露によって貯蔵室の間口が汚れカビ等が発生するという問題があった。
【００１１】
本発明は、貯蔵室の間口の発露を防止して清潔に保つことのできる冷蔵庫を提供することを目的とする。
【課題を解決するための手段】
【００１２】
上記目的を達成するために本発明の冷蔵庫は、貯蔵室の間口の温度を検知する温度センサと、外気の湿度を検知する湿度センサと、冷凍サイクルを運転する圧縮機と、前記冷凍サイクルの高温部に配される放熱器と、前記放熱器の後段に配される膨張器と、前記放熱器と前記膨張器との間に設けられるとともに前記貯蔵室の間口に配される発露防止部と、前記発露防止部と並列に配されるバイパス通路とを備え、前記温度センサ及び前記湿度センサの検知結果に基づいて冷媒を前記発露防止部と前記バイパス通路とに切り替えて流通させる冷蔵庫において、前記湿度センサが正常に動作してないとした際に冷媒を前記発露防止部のみに流通させる常時防露運転を行うことを特徴とする。
【００１３】
この構成によると、湿度センサが正常の際には温度センサ及び湿度センサの検知結果に基づいて冷媒を発露防止部とバイパス通路とに切り替えて流通させる。一方、湿度センサが正常に動作してないとした際には冷媒を発露防止部のみに流通させる。
【００１４】
また本発明は、上記構成の冷蔵庫において、前記温度センサ及び前記湿度センサの検知結果を記憶する記憶部を備え、前記湿度センサが正常に動作してないとした際に、前記記憶部に記憶されたデータ及び前記温度センサの検知結果から導出した湿度と、前記温度センサの検知温度と、に基づいて冷媒を前記発露防止部と前記バイパス通路とに切り替えて流通させる代替データ切替期間を前記常時防露運転中に所定の周期で設けたことを特徴とする。
【００１５】
また、上記目的を達成するために本発明の冷蔵庫は、貯蔵室の間口の温度を検知する温度センサと、外気の湿度を検知する湿度センサと、前記温度センサ及び前記湿度センサの検知結果を記憶する記憶部と、冷凍サイクルを運転する圧縮機と、前記冷凍サイクルの高温部に配される放熱器と、前記放熱器の後段に配される膨張器と、前記放熱器と前記膨張器との間に設けられるとともに前記貯蔵室の間口に配される発露防止部と、前記発露防止部と並列に配されるバイパス通路とを備え、前記温度センサ及び前記湿度センサの検知結果に基づいて冷媒を前記発露防止部と前記バイパス通路とに切り替えて流通させる冷蔵庫において、前記湿度センサが正常に動作してないとした際に、前記記憶部に記憶されたデータ及び前記温度センサの検知結果から導出した湿度と、前記温度センサの検知温度と、に基づいて冷媒を前記発露防止部と前記バイパス通路とに切り替えて流通させることを特徴とする。
【００１６】
この構成によると、湿度センサが正常の際には温度センサ及び湿度センサの検知結果に基づいて冷媒を発露防止部とバイパス通路とに切り替えて流通させる。一方、湿度センサが正常に動作してないとした際には導出した湿度と温度センサの検知温度とに基づいて冷媒を発露防止部とバイパス通路とに切り替えて流通させる。
【００１７】
また本発明は、上記構成の冷蔵庫において、前記湿度センサが正常に動作してない場合に報知する報知部を設けたことを特徴とする。この構成によると、湿度センサが正常に動作してないと、音声又は表示による報知が行われる。
【００１８】
また本発明は、上記構成の冷蔵庫において、前記圧縮機を配置する機械室内に前記バイパス通路を配置し、前記バイパス通路は冷媒が流通する冷媒管上に放熱フィンを固着して形成されることを特徴とする。
【発明の効果】
【００１９】
本発明によると、湿度センサが正常に動作してないとした際に冷媒を発露防止部のみに流通させる常時防露運転を行うため、湿度センサが正常に動作していないとしても貯蔵室の間口の発露を確実に防止して冷蔵庫を清潔に維持できる。また、本発明によると、湿度センサが正常に動作してないとした際に、記憶部に記憶されたデータ及び温度センサの検知結果から導出した湿度と、温度センサの検知温度と、に基づいて冷媒を発露防止部とバイパス通路とに切り替えて流通させるため、過度な間口の加熱を防止することができる。
【図面の簡単な説明】
【００２０】
【図１】本発明の第１実施形態の冷蔵庫を示す側面断面図
【図２】本発明の第１実施形態の冷蔵庫を示す正面断面図
【図３】本発明の第１実施形態の冷蔵庫の冷凍サイクルを示す図
【図４】本発明の第１実施形態の冷蔵庫のタイミングチャートを示す図
【図５】本発明の第２実施形態の冷蔵庫のフローチャートを示す図
【発明を実施するための形態】
【００２１】
以下に本発明の実施形態を図面を参照して説明する。図１、図２は第１実施形態の冷蔵庫１の側面断面図及び正面断面図を示している。
【００２２】
冷蔵庫１は断熱材を充填した断熱箱体２を有する本体部３を備える。断熱箱体２には上から貯蔵室を構成する冷蔵室４、冷凍室５、６及び野菜室７が配される。冷蔵室４と冷蔵室５とは断熱壁２ａにより仕切られる。冷蔵室５と冷凍室６とは断熱壁２ｂにより仕切られる。冷凍室６と野菜室７とは断熱壁２ｃによりにより仕切られる。
【００２３】
冷蔵室４、冷凍室５、６及び野菜室７の周壁は断熱壁２ａ，２ｂ、２ｃを含む断熱箱体２により形成され、各周壁前面から成る間口２ｄには発露防止部１２が配される。断熱壁２ａ，２ｂ、２ｃにはそれぞれ各貯蔵室の間口２ｄの温度を検知する温度センサ１４が設けられる。冷蔵室４、冷凍室５、６及び野菜室７の前面は断熱材を充填した扉４ａ、５ａ、６ａ、７ａにより開閉される。
【００２４】
本体部３の上部には湿度センサ１５が設けられる。湿度センサ１５は高分子電気抵抗等の電気式のセンサにより形成され、外気の湿度を検知する。本体部３には各部を制御する報知部３８（図３参照）。また、制御部３８に接続される記憶部、報知部が設けられる。記憶部はＲＯＭやＲＡＭから形成され、所定のプログラムやデータが記憶される。報知部は音声又は表示による報知を行う。
【００２５】
断熱箱体２の後方下部には機械室８が設けられる。機械室８には冷凍サイクルを運転する圧縮機３１が配される。冷凍室４、５の背後には冷気が流通する冷気通路９が設けられる。冷気通路９には冷凍サイクルの低温部となる冷却器３５が配され、冷却器３５の上方には送風ファン１０が配される。冷凍室４の背後にはダンパ（不図示）を介して冷気通路９に連通する冷気通路１１が配される。
【００２６】
図３は冷蔵庫１の冷凍サイクルを示すサイクル図である。圧縮機３１には冷媒管３６を介して放熱器３３、膨張器３４、冷却器３５の順に接続され、圧縮機３１に戻る。また、放熱器３３と膨張器３４との間には冷媒管３６により形成される発露防止部１２とバイパス通路１３とが並列に設けられる。
【００２７】
発露防止部１２は間口２ｄに配され、バイパス通路１３は機械室８に配される。発露防止部１２及びバイパス通路１３の上流には制御部３８の制御により冷媒の流通経路を切り替える冷媒バルブ３７が設けられる。
【００２８】
バイパス通路１３は機械室８内に配置され、冷媒管３６上に放熱フィンを固着して形成される。例えば、バイパス通路１３はスパイルフィンコンデンサにより形成され、管長２００〜３００ミリメートル程度の長さを有する熱交換器として形成される。
【００２９】
放熱器３３及び発露防止部１２を冷媒が通過すると、膨張器３４で冷媒は低圧になる。低圧の冷媒は冷却器３５に流入し、冷気通路７を流通する空気から吸熱しながら蒸発して低温のガス冷媒となる。そして、低温のガス冷媒が圧縮機３１に戻り、冷媒が循環して冷凍サイクルが運転される。
【００３０】
圧縮機３１及び送風ファン１０の駆動によって冷気通路９を流通する空気と冷却器３５とが熱交換して生成された冷気が吐出口（不図示）から冷凍室５、６に吐出される。吐出口から吐出された冷気は冷凍室５、６内を流通し、戻り口（不図示）を介して冷却器３５に戻る。これにより、冷凍室５内の冷却が行われる。
【００３１】
ダンパ（不図示）が開かれると冷気通路１１の冷気が冷蔵室４に吐出される。冷気は冷蔵室４内を流通し、連通路（不図示）を介して野菜室７に吐出される。野菜室７を流通した冷気は冷却器３５に戻る。これにより、冷蔵室４、野菜室７内の冷却が行われる。
【００３２】
温度センサ１４及び湿度センサ１５の検知結果により導出した露点温度よりも貯蔵室の間口の温度が低温になると、制御部３８は冷媒バルブ３７を切り替えて発露防止部１２に冷媒が流通する。これにより、発露防止部１２に流れる加熱された冷媒により貯蔵室の間口２ｄが加熱されて発露が防止される。
【００３３】
図４は冷蔵庫１のタイミングチャートを示す図である。図中、期間Ｔ１は湿度センサ１５が正常の期間を表し、期間Ｔ２は湿度センサ１５が正常に動作してないとした期間を表す。
【００３４】
湿度センサ１５が正常の場合（期間Ｔ１）には温度センサ１４及び湿度センサ１５の検知結果に基づき、制御部３８は高温の冷媒を発露防止部１２とバイパス通路１３との間を切り替えて流出させる。この時、温度センサ１４及び湿度センサ１５の検知結果は記憶部（不図示）により記憶される。
【００３５】
圧縮機３１の駆動によって、圧縮機３１によって圧縮された高温高圧の冷媒は放熱器３３で放熱しながら凝縮する。また、冷媒バルブ３７の切り替えによって発露防止部１２またはバイパス通路１３を流通する冷媒が凝縮する。
【００３６】
また、露点温度よりも貯蔵室の間口の温度が高温になるとバイパス通路１３に冷媒が流通し、貯蔵室４、５、６及び７の近傍の昇温による冷却効率の低下を防止することができる。
【００３７】
一方、湿度センサ１５が正常に動作してないとした期間Ｔ２になると（時間ｔ以降）、制御部３８は冷媒を発露防止部１２のみに流通させる常時防露運転を行う。これにより、湿度センサ１５が正常に動作してないとしても確実に間口２ｄで発露することを防止できる。湿度センサ１５の正常に動作してないとの判断は湿度センサ１５からの入力信号の有無によって判断してもよい。
【００３８】
また、湿度センサ１５が正常に動作してないと、音声又は表示による報知が行われる。これによりユーザは湿度センサ１５の正常に動作してない状態があったことを確実に知ることができる。
【００３９】
また、バイパス通路１３を設けた場合にはバイパス通路１３を設けていない場合と比較すると、冷媒の量は１０〜２０％増量されることが好ましい。これは発露防止部１２に一部の冷媒が残存する場合があるからである。
【００４０】
本実施形態によると、湿度センサ１５が正常に動作してないとした際に冷媒を発露防止部１２のみに流通させる常時防露運転を行うため、確実に冷蔵庫１の間口２ｄの発露を防止できる。
【００４１】
また、湿度センサ１５が正常に動作してないとした場合に報知する報知部を設けたため、ユーザは湿度センサ１５の正常に動作しない状態を確実に知ることができる。
【００４２】
また、圧縮機３１を配置する機械室８内にバイパス通路１３を配置し、バイパス通路１３が冷媒管上に放熱フィンを固着して形成されるため、周囲温度が高温となるバイパス通路１３の熱交換効率の低下を防止することができる。
【００４３】
（第２実施形態）
次に図５は第２実施形態の冷蔵庫１の動作を示すフローチャートを示す。説明の便宜上、前述の図１〜図４に示す第１実施形態と同様の部分には同一の符号を付している。本実施形態では第１実施形態と異なり湿度センサ１５が正常に動作してないとした際の制御が異なるが、その他は第１実施形態と同様である。
【００４４】
ステップＳ１では温度センサ１４により貯蔵室の間口の温度を検知する。ステップＳ２では湿度センサ１５により外気の湿度を検知する。
【００４５】
ステップＳ３では湿度センサ１５が正常に動作するか否かが判断される。湿度センサ１５が正常に動作してないとした場合にはステップＳ４へ移行し、正常の場合にはステップＳ７へ移行する。
【００４６】
ステップＳ７では温度及び湿度の検知結果を記憶部に記憶する。
【００４７】
ステップＳ４では湿度センサ１５が正常に動作してないとしたことを報知部によって報知される。報知は音声又は表示によって行われる。
【００４８】
ステップＳ５では記憶部に記憶された温度及び湿度のデータの読み出しを行う。
【００４９】
ステップＳ６では読み出したデータと温度センサ１４との検知結果から湿度を導出する。この時、温度及び湿度のデータは相関関係があるものとする。ステップＳ７では間口２ｄにおける露点温度を演算する。
【００５０】
ステップＳ９では貯蔵室の間口の温度が露点温度以下かどうかを判断される。貯蔵室の間口の温度が露点温度以下の場合にはステップＳ１１へ移行し、貯蔵室の間口の温度が露点温度よりも大きい場合にはステップＳ１０へ移行する。
【００５１】
ステップＳ１０ではバイパス通路１３側に切り替えて冷媒が流出される。ステップＳ１１では発露防止部１２側に切り替えて冷媒が流出されて間口２ｄが加熱される。
【００５２】
本実施形態によると、第１実施形態と同様の効果を得ることができる。また、湿度センサ１５が正常に動作してないとした際に、記憶部に記憶されたデータと温度センサ１４との検知結果から導出した湿度と温度センサ１４の検知温度とに基づいて冷媒を発露防止部１２とバイパス通路１３とに切り替えて流通させるため、過度に間口２ｄを加熱することを防止するとともに、間口２ｄの発露も防止できる。
【００５３】
（第３実施形態）
本実施形態は湿度センサ１５が正常に動作してないとした際に、第１実施形態の常時防露運転と第２実施形態の代替データ切替運転とが所定周期で交互に行われる。即ち、常時防露運転中に代替データ切替期間が所定周期で行われる。これにより、代替データ切替期間が常時続くことがないため、冷蔵庫１の省エネ性能が著しく低下する恐れはない。
【産業上の利用可能性】
【００５４】
本発明によると、湿度センサを備えた冷蔵庫に利用することができる。
【符号の説明】
【００５５】
１      冷蔵庫
２      断熱箱体
２ａ    断熱壁
２ｂ    断熱
２ｃ    断熱壁
２ｄ    間口
３      本体部
４      冷蔵室（貯蔵室）
４ａ、５ａ、６ａ、７ａ    扉
５      冷凍室（貯蔵室）
６      冷凍室（貯蔵室）
７      野菜室（貯蔵室）
８      機械室
９      冷気通路
１０    送風ファン
１１    冷気通路
１２    発露防止部
１３    バイパス通路
１４    温度センサ
１５    湿度センサ
３１    圧縮機
３２    凝縮機
３３    放熱器
３４    膨張器
３５    冷却器
３６    冷媒管
３７    冷媒バルブ
３８    制御部
【図１】
2013238378.tif 000003
【図２】
2013238378.tif 000004
【図３】
2013238378.tif 000005
【図４】
2013238378.tif 000006
【図５】
2013238378.tif 000007